(57)【要約】【課題】回転アダプタの動作状態等を把握して、回転アダプタを効率良く制御可能な内視鏡を実現する。【解決手段】内視鏡は、体腔内に挿入可能な挿入部２１と、この挿入部２１の先端側に設け、外周に形成した螺旋状部５４が体腔内管路の内壁に当接して回転することにより推進力を発生する回転アダプタ１４とを具備して構成されている。内視鏡は、回転アダプタ１４の少なくとも回転部分の一部が挿入部２１の先端部に設けられた観察窓の観察視野範囲内に入るよう回転アダプタ１４を配置して構成されている。【選択図】図５
2006042900.tif 000002
【特許請求の範囲】
【請求項１】
体腔内に挿入可能な挿入部と、
前記挿入部の先端側に設け、外周に形成した螺旋状部が体腔内管路の内壁に当接して回転することにより推進力を発生する回転アダプタと、
を具備し、前記回転アダプタの少なくとも回転部分の一部が前記挿入部の先端部に設けられた観察窓の観察視野範囲内に入るよう前記回転アダプタを配置したことを特徴とする内視鏡。
【請求項２】
前記挿入部先端側の重力方向を検知する重力方向検知手段を設けたことを特徴とする請求項１に記載の内視鏡。
【請求項３】
前記回転アダプタの回転動作をロックするロック手段を設けたことを特徴とする請求項１に記載の内視鏡。
【発明の詳細な説明】
【技術分野】
【０００１】
本発明は、挿入部を体腔内の目的部位に到達させるための推進力を発生する回転アダプタを備えた内視鏡に関する。
【背景技術】
【０００２】
近年、内視鏡は、工業用や医療用に広く用いられている。医療用内視鏡は、体腔内に細長な挿入部を挿入することで、体腔内の臓器等を観察したり、必要に応じて処置具挿入用チャンネル内に挿入した処置具を用いて、各種治療処置ができるようになっている。
【０００３】
一般的に、細長な挿入部を有する内視鏡では、上記挿入部の先端側に湾曲部が設けられている。上記湾曲部は、この湾曲部を構成する湾曲駒に接続されている湾曲操作ワイヤを進退させることによって、例えば上下方向／左右方向に湾曲動作するように構成されている。上記湾曲操作ワイヤの進退は、術者が操作部に設けられている例えば湾曲ノブを回動操作することによって行える。
【０００４】
上記挿入部を複雑に入り組んだ体腔内である、例えば大腸などのように３６０°のループを描く管腔に挿入する際、術者は、湾曲ノブを操作して湾曲部を湾曲動作させるとともに、挿入部を捻り操作しながら、上記挿入部の先端部を観察目的部位に向けて導入していく。
【０００５】
しかしながら、複雑に入り組んだ大腸の深部まで挿入部を導入させる際、患者に苦痛を与えることなく、スムーズに、短時間で目的部位までの導入を行えるようになるまでには熟練を要する。このため、挿入部の導入性を向上させるための提案が各種なされている。
【０００６】
例えば、特開平１０−１１３３９６号公報には、生体管の深部まで容易に且つ低侵襲で医療機器を誘導し得る推進装置が示されている。この推進装置では、回転部材に、この回転部材の軸方向に対して斜めのリブが設けてある。従って、推進装置は、回転部材を回転動作させることにより、回転部材の回転力がリブによって推進力に変換される。すると、この推進装置に連結されている医療機器は、上記推進力によって深部に向かって移動される。
【０００７】
また、特開２００１−１７９７００号公報には移動可能なマイクロマシン及びその移動制御システムが開示されている。このマイクロマシンは、外部回転磁界よって微小磁石に働く磁気トルクを利用した、磁気力を駆動源とする磁気マイクロマシンである。この磁気マイクロマシンでは、エネルギー供給のためのケーブルを必要とせず、ケーブルや電源等の制約から離れ、シンプルな構造で所望の運動が実現される。そして、このマイクロマシンは、静水中や流水中で良好な移動特性を示すことから医用マイクロロボットへの応用において極めて有望であることが判明している。
【０００８】
また、特開２００３−２６００２６号公報には患者に抵抗感を与えず、小型で取り扱い易い医療用磁気誘導装置が示されている。この医療用磁気誘導装置では、磁界発生部が形成する回転磁界により、磁石を設けたカプセル型医療機器である内視鏡やカテーテル、ガイドワイヤ等の挿入部を磁気的に誘導するようになっている。
【０００９】
上記特開２００３−２６００２６号公報、特開２００１−１７９７００号公報及び特開平１０−１１３３９６号公報等の記載から図３６に示す構成の内視鏡装置を容易に想到することができる。
【００１０】
図３６に示す内視鏡装置は、内視鏡１００と、この内視鏡１００の挿入部１０１の先端部１０２に取り付けられる回転アダプタ１０３と、この回転アダプタ１０３を回転させる図示しない医療用磁気誘導装置とを備えて構成されている。上記回転アダプタ１０３は、内部に図示しない磁石が設けられ、外周面には螺旋形状部１０４が設けられている。
【００１１】
図３７に示すように回転アダプタ１０３を矢印Ａに示す回転磁界中に配置させることによって、回転アダプタ１０３が挿入部１０１に対して矢印Ｂ方向に回転される。
【００１２】
これにより、回転アダプタ１０３は、挿入部１０１を例えば、大腸などの体腔内管腔に挿入した状態において、外部から回転磁界を発生させて回転磁界中に配置した場合、回転状態になる。回転アダプタ１０３は、外周面に設けられた螺旋状部１０４が図示しない大腸内壁に当接することによって摩擦力が発生し、この摩擦力が挿入部１０１を体腔内管腔の深部へ向けて挿入していく推進力となる。
【特許文献１】特開平１０−１１３３９６号公報
【特許文献２】特開２００１−１７９７００号公報
【特許文献３】特開２００３−２６００２６号公報
【発明の開示】
【発明が解決しようとする課題】
【００１３】
上記図３６及び図３７に示した内視鏡装置では、上記回転アダプタを用いているので、上記挿入部先端部まで上記挿入部を押し引き、捻り操作の力を伝達することができる。  
しかしながら、上記従来の内視鏡装置は、上記回転アダプタが内視鏡に設けられた観察窓の観察視野範囲外に位置している。このため、術者は、上記回転アダプタの動作状態等を上記観察窓により観察することができなかった。  
従って、上記従来の内視鏡は、上記回転アダプタの動作状態等を把握できなかった。
【００１４】
本発明は、上述した点に鑑みてなされたもので、回転アダプタの動作状態等を把握して、回転アダプタを効率良く制御可能な内視鏡を提供することを目的とする。
【課題を解決するための手段】
【００１５】
本発明による内視鏡は、体腔内に挿入可能な挿入部と、前記挿入部の先端側に設け、外周に形成した螺旋状部が体腔内管路の内壁に当接して回転することにより推進力を発生する回転アダプタと、を具備し、前記回転アダプタの少なくとも回転部分の一部が前記挿入部の先端部に設けられた観察窓の観察視野範囲内に入るよう前記回転アダプタを配置したことを特徴としている。
【発明の効果】
【００１６】
本発明の内視鏡は、回転アダプタの動作状態等を把握して、回転アダプタを効率良く制御できるという効果を有する。
【発明を実施するための最良の形態】
【００１７】
以下、図面を参照して本発明の実施例を説明する。
【実施例１】
【００１８】
図１ないし図２７は本発明の第１実施例に係り、図１は第１実施例の内視鏡を備えた内視鏡装置を示す全体構成図、図２は図１の内視鏡本体の挿入部先端側を示す拡大斜視図、図３は図１の磁気誘導装置により発生する回転磁界を説明する模式図、図４は図１の回転アダプタ付近を示す拡大図、図５は図４の回転アダプタの内部構成を示す説明図、図６は内視鏡本体の挿入部先端部を肛門から挿入し回転アダプタを回転させた状態で且つ、挿入部の先端部がＳ状結腸部の腸壁に接触した際の断面図、図７は挿入部先端部が回転アダプタにより得られた推進力によりＳ状結腸部を進んでいく際の説明図、図８は図７に示す状態から更に挿入部先端部がＳ状結腸部を介して進んでいる際の説明図、図９は図８に示す状態から更に挿入部先端部が下行結腸部へと進んでいる際の説明図、図１０は回転アダプタをロックするための電磁石を設けた変形例を示す説明図、図１１は内視鏡像のアップ（Ｕｐ）方向を示す指標を重畳した際の内視鏡画像表示例、図１２は中空キャップを内視鏡本体の挿入部先端部に取り付ける際の中空キャップ及び挿入部先端側の斜視図、図１３は図１２の中空キャップを取り付けた内視鏡本体の挿入部先端部の正面図、図１４は図１３の状態から反転させた際の内視鏡本体の挿入部先端部の正面図、図１５は図１２の中空キャップを内視鏡本体の挿入部先端部に取り付けた際の回転アダプタの内部構成を示す説明図、図１６は回動自在なリング状回転体を設けた中空キャップを内視鏡本体の挿入部先端部に取り付ける際の中空キャップ及び挿入部先端側の斜視図、図１７は図１６の中空キャップの正面図、図１８は図１６の中空キャップを取り付けた内視鏡本体の挿入部先端部の正面図、図１９は図１８の状態から反転させた際の内視鏡本体の挿入部先端部の正面図、図２０は姿勢角度センサを撮像ユニット内に設けた内視鏡本体の要部断面図、図２１は接触センサを本体部に設けた際の回転アダプタ付近を示す拡大図、図２２は接触センサを内視鏡挿入部先端側に設けた際の回転アダプタ付近を示す拡大図、図２３は上下左右方向（Ｕ／Ｄ、Ｒ／Ｌ）の指標を重畳した際の内視鏡画像表示例、図２４はアップ（Ｕｐ）方向の指標のみを重畳した際の内視鏡画像表示例、図２５は本体部に設けた接触センサに対して無線受信部を内視鏡本体内部に設けた際の回転アダプタの内部構成を示す説明図、図２６は内視鏡挿入部先端側に設けた接触センサに対して無線受信部を内視鏡本体内部に設けた際の回転アダプタの内部構成を示す説明図、図２７は図２５に対して接触センサを有線にした際の回転アダプタの内部構成を示す説明図である。
【００１９】
図１に示すように本実施形態の内視鏡装置１は、体腔内に挿入される細長な挿入部２１を有する内視鏡本体２と、この内視鏡本体２の挿入部２１を体腔内に導入する際の推進力を得るための内視鏡挿入補助装置３と、を有して構成されている。  
内視鏡本体２には、外部装置として光源装置１１、カメラコントロールユニット（以下、ＣＣＵと略記する）１２及びモニタ１３が設けられている。
【００２０】
光源装置１１は内視鏡本体２に照明光を供給する。ＣＣＵ１２は内視鏡本体２に設けられている固体撮像素子に対する信号処理等を行う。モニタ１３にはＣＣＵ１２で生成された映像信号が入力される。このことによって、モニタ１３の表示画面１３ａ上には、内視鏡画像が表示される。  
一方、内視鏡挿入補助装置３は、挿入補助具である回転アダプタ１４と、医療用磁気誘導装置（以下、磁気誘導装置と略記する）１５とを有して構成されている。磁気誘導装置１５には外部装置として制御装置１６及び電源装置１７が設けられている。
【００２１】
内視鏡本体２は、挿入部２１、操作部２２を有して構成されている。挿入部２１は、細長で可撓性を有している。操作部２２は、挿入部２１の基端側に連設され、把持部を兼ねている。内視鏡本体２は、前記操作部２２側部からユニバーサルコード２３が延出して設けられている。このユニバーサルコード２３には、図示しないライトガイドや信号線が挿通配設されている。このユニバーサルコード２３の端部に設けられているコネクタ部２３ａが前記ＣＣＵ１２に接続されるようになっている。
【００２２】
挿入部２１は、先端側から順に硬質の先端部２４（挿入部先端部２４ともいう）、湾曲自在な湾曲部２５及び長尺で可撓性を有する可撓管部２６を連設して構成されている。  
操作部２２には、湾曲部２５を湾曲動作させるための湾曲操作手段である湾曲操作ノブ２７が設けられている。また、この操作部２２には、送気・送水を指示するための送気・送水ボタン２８ａ及び吸引を指示するための吸引ボタン２８ｂが設けられている。更に、操作部２２には、ＣＣＵ１２を遠隔操作するためのビデオ用スイッチ２９ａや各種周辺機器の制御等行うリモートスイッチ２９ｂ等が設けられている。また、操作部２２には、生検鉗子等の処置具が挿入される鉗子口３０が設けられている。鉗子口３０は、挿入部２１内を挿通する処置具挿通用チャンネル３０ｂに連通している。
【００２３】
従って、内視鏡本体２は、鉗子口３０から例えば生検鉗子を挿入していくことにより、生検鉗子が処置具挿通用チャンネル３０ｂ内を通過して先端部２４に形成されているチャンネル開口２４ａ（図２参照）から突出される。  
尚、図２において、符号２４ｂは観察光学系を構成する観察窓であり、符号２４ｃは照明光学系を構成する照明光が出射される照明窓であり、符号２４ｄは前記観察窓２４ｂに向けて送気送水する送気送水ノズルである。
【００２４】
ユニバーサルコード２３内には、照明窓２４ｃに一端面が臨む図示しないライトガイドファイバ束や固体撮像素子から延出する信号線、吸引チャンネルや送気・送水チャンネルを構成するチューブ等が挿通されている。ユニバーサルコード２３の端部には、光源装置１１に着脱自在に連結される内視鏡コネクタ２３ａが設けられている。内視鏡コネクタ２３ａの側部には電気コネクタ部（不図示）が設けられており、この電気コネクタ部にＣＣＵ１２に接続される電気ケーブル２３ｂのコネクタ２３ｃが連結されるようになっている。
【００２５】
また、内視鏡挿入補助装置３を構成する回転アダプタ１４は、挿入部２１を例えば大腸などの体腔内管路に挿入する際の推進力を得るようになっている。この回転アダプタ１４は、挿入部２１の先端部２４に配置される。尚、この回転アダプタ１４の詳細構成は、後述する。
【００２６】
前記磁気誘導装置１５は、図１に示すように例えば患者が横たわることが可能なベッド部４１と、このベッド部４１に横たわった患者の体の所望の部分を覆うように構成された磁界発生部４２とを有して構成されている。尚、前記ベッド部４１は、非磁性検査台として筐体部が木やプラスティックなどの非磁性体で形成されている。これにより、ベッド部４１は、回転アダプタ１４の安定した動作が可能となっている。
【００２７】
前記磁界発生部４２は、枠体部４３と、窓部４４とで構成されている。前記枠体部４３には、図示しない電磁コイルが設けられている。具体的に、枠体部４３を構成する互いに対向する３組の平面部４３ａ、４３ｂ、４３ｃにそれぞれ一対の電磁コイルが図示しないヘルムホルツコイルを形成するように設けられている。つまり、磁界発生部４２に設けられた３組のヘルムホルツコイルは、ベッド部４１上で略キュービック状に構成されている。このことによって、磁界発生部４２からは、図中のＸ方向、Ｙ方向及びＺ方向にそれぞれ対応する磁界が発生されるようになっている。
【００２８】
前記窓部４４は、患者の首、脚、腕、胴体が自在に抜き差し可能に設けられている。  
磁気誘導装置１５からは接続ケーブル４５が延出している。接続ケーブル４５の端部にはコネクタ４５ａが設けられている。このコネクタ４５ａは電源装置１７に着脱自在に接続される。電源装置１７には信号ケーブル４６を介して制御装置１６が電気的に接続される。
【００２９】
制御装置１６は、磁界発生部４２に設けられている３組のヘルムホルツコイルに対して通電される電流の強弱、向き等の制御を行って、３組のヘルムホルツコイルによって所望の３次元的な回転磁界を形成する。  
また、本実施形態においてはＣＣＵ１２と制御装置１６とを信号ケーブル４７によって電気的に接続すると共に、前記操作部２２に設けられているリモートスイッチ２９ｂを例えば、前記磁気誘導装置１５が形成する回転磁界を制御するための誘導装置用スイッチとしている。
【００３０】
このことによって、術者が誘導装置用スイッチ２９ｂを手元操作することで、磁気誘導装置１５が駆動制御される。つまり、誘導装置用スイッチ２９ｂを操作することによって出力される指示信号は、ＣＣＵ１２及び制御装置１６を介して磁気誘導装置１５に伝送される。尚、リモートスイッチ２９ｂを誘導装置用スイッチとして設定する代わりに、誘導装置用スイッチを別体に設け、操作部２２に着脱可能に取り付ける構成や他の術者が操作するようにしてもよい。この場合においては、例えば誘導用スイッチと制御装置１６とを電気的に接続する構成にする。
【００３１】
図３に示すように前記磁気誘導装置１５では、例えば矢印Ａに示すような回転磁界を形成する。このとき、この回転磁界中に配置された回転アダプタ１４を構成する後述の回転体（永久磁石）が矢印Ｂに示すように回転される。  
このことにより、回転アダプタ１４は、回転体の外周面に設けられている後述の螺旋状部が管腔内壁に当接することによって摩擦力が発生し、このとき発生する摩擦力が挿入部２１を管腔の深部に向けで導入する際の推進力になる。  
従って、内視鏡本体２は、前記挿入部２１に対する押し引き、捻り操作の力を分散することなく、挿入部先端部２４まで伝達することができる。
【００３２】
次に、図４及び図５を参照して前記回転アダプタ１４の詳細構成を説明する。  
回転アダプタ１４は、前記挿入部先端部２４に取り付けられるフランジ状の本体部５１と、この本体部５１の外周に設けられ、一対のベアリング部５２により回動自在な回転体５３と、この回転体５３の外周面側に設けられ、体腔内管路の内壁に当接して前記回転体５３の回転により回転し推進力を発生する螺旋状部５４とを有して構成されている。
【００３３】
前記本体部５１には、前記挿入部先端部２４を挿通可能な貫通孔５１ｂが形成されている。この本体部５１は、例えば、ゴム部材のように弾性を有する弾性体或いは軟性樹脂部材、又は硬質樹脂によって形成されている。尚、この本体部５１は、図示しないが前記挿入部先端部２４の外装部にビス又はねじにて固定されるようになっており、挿入部先端部２４から回転アダプタ１４の脱落を防止するようになっている。
【００３４】
前記ベアリング部５２は、前記本体部５１の外周面所定位置に固設される。前記回転体５３は、前記ベアリング部５２の外周面側に配置される。このことによって、回転体５３は、本体部５１に対して回動自在に構成されている。  
前記回転体５３は、永久磁石により例えば管状に形成されている。この永久磁石は、ネオジウム磁石、サマリウムコバルト磁石、フェライト磁石、鉄・クロム・コバルト磁石、プラチナ磁石、アルニコ（Alnico）磁石などである。フェライト磁石においては安価であるというメリットがあり、プラチナ磁石においては耐腐食性に優れ、医療用に好適である。
【００３５】
前記螺旋状部５４は、例えば、接着剤等により回転体５３の外周面側に接着固定されている。この螺旋状部５４は、所望の推進力が得られるように条数、ピッチ、或いは高さ寸法や幅寸法等を適宜設定されている。前記螺旋状部５４の形成範囲は、図に示すように回転体５３の一端部（縁部）近傍から他端部近傍までに限定されるものではなく、所望の推進力が得られるのであれば、回転体５３の中途部に設ける構成であってもよい。尚、前記回転アダプタ１４は、前記本体部５１及び前記回転体５３の両端側に面取り加工が施されている。
【００３６】
本実施例では、前記回転アダプタ１４の少なくとも回転部分の一部が前記挿入部先端部２４に設けられた観察窓の観察視野範囲内に入るよう前記回転アダプタ１４を配置して構成されている。  
即ち、前記回転アダプタ１４は、前記回転体５３よりも前記螺旋状部５４が前方に突出するように形成されており、且つこの螺旋状部５４が前記挿入部先端部２４の前記観察窓２４ｂよりも突出するように取り付けられている。
【００３７】
更に、前記回転アダプタ１４は、前記螺旋状部５４が前記挿入部先端部２４の前記観察窓２４ｂの観察視野範囲内に入るように前記本体部５１の一部を切り欠いた切欠部５５を形成している。尚、前記本体部５１は、切欠部５５を形成することなく透明部材により形成してもよい。  
このことにより、前記回転アダプタ１４は、前記挿入部先端部２４の前記観察窓２４ｂの観察視野範囲内に前記螺旋状部５４の内周面が入るようになっている。  
従って、前記内視鏡装置１は、前記回転アダプタ１４の動作状態等を前記観察窓２４ｂにより観察することが可能となっている。
【００３８】
上述のように構成した内視鏡装置１の作用を説明する。  
先ず術者は、前記電源装置１７の電源をオンし、制御装置１６を作動させる。  
術者は、内視鏡本体２を観察状態にすると共に、誘導装置用スイッチ２９ｂを操作して磁気誘導装置１５の磁界発生部４２に設けられている３組のヘルムホルツコイルにそれぞれ電流を供給して所定の回転磁界を形成する状態にする。
【００３９】
次に、術者は、磁気誘導装置１５のベッド部４１上で磁界発生部４２内に検査対象部位が位置するように横たわっている患者の肛門７１から挿入部２１を構成する先端部２４及び湾曲部２５を大腸（直腸７２）内に挿入していく。そして、回転アダプタ１４も直腸７２に挿入されていく。
【００４０】
次いで、図６に示すように肛門７１から挿入された回転アダプタ１４が磁界発生部４２の回転磁界内に到達すると、回転アダプタ１４を構成する回転体５３が所定の回転状態になる。ここで、回転アダプタ１４は、回転体５３の外周面に設けられている螺旋状部５４が大腸壁に当接することによって摩擦力が発生する。このとき発生する摩擦力は、挿入部２１を管腔深部に向けて挿入する際の推進力になる。このことによって、術者は、回転アダプタ１４によって得られる推進力を利用して、小さな力量で押し込み操作を行いながら挿入部先端部２４を目的部位に向けて挿入していくことができる。
【００４１】
このとき、術者は、モニタ１３の表示画面１３ａ上に表示される内視鏡画像を観察している。術者は、図７に示すように挿入部先端部２４がＳ状結腸部７３のような屈曲部近傍に到達したことを内視鏡画像から判断することができる。  
ここで、従来の内視鏡は、回転アダプタが観察窓の観察視野範囲外に位置しているため、回転アダプタの動作状態等を観察窓により観察することができなかった。
【００４２】
本実施例の回転アダプタ１４は、前記挿入部先端部２４の前記観察窓２４ｂの観察視野範囲内に前記螺旋状部５４の内周面が入るようになっており、前記回転アダプタ１４の動作状態等を前記観察窓２４ｂにより観察することができる。
【００４３】
図８に示すように回転アダプタ１４は、上述のように回転しながら推進力を得て推進することで、腸管深部方向へ推進して腸管を直線化していく。これにより、更に、この直線化した腸管内を回転アダプタ１４が推進していくことで、内視鏡本体２は、挿入部先端部２４が管腔深部に向けて更に挿入されていく。  
従って、挿入部先端部２４は、回転アダプタ１４によって得られる推進力と、湾曲部２５を湾曲動作させる術者の手元操作や及び捻り操作によって腸管深部方向へ進み、目的部位へ到達可能である。
【００４４】
ここで、挿入部先端部２４は、図６及び図７に示したようにＳ状結腸部７３を通過して図８及び図９に示すように可動性に乏しい下行結腸部７４と可動性に富む横行結腸部７５との境界である脾湾曲７６に挿入部先端部２４が至る。  
以降、図示しないが同様に挿入部先端部２４は、脾湾曲７６を介して横行結腸７５と上行結腸７８との境界である肝湾曲７７の壁に沿うようにスムーズに前進して例えば目的部位である盲腸部７９近傍に挿入部先端部２４が到達する。
【００４５】
そして、術者は、挿入部先端部２４が目的部位である盲腸部７９近傍に到達したことをモニタ１３の表示画面１３ａ上に表示されている内視鏡画像で確認したなら、大腸内の内視鏡検査を行うために挿入部２１の引き戻し操作に移行して検査を行う。  
これにより、本実施例の内視鏡装置１は、通過困難なＳ状結腸部など湾曲した管腔の屈曲が急激すぎる腸管を、挿入部２１に複雑な操作を加えることなく容易に直線状に短縮しながら挿入できるようになる。  
この結果、本実施例は、回転アダプタ１４の動作状態等を観察窓２４ｂにより観察することができるので、術者は、回転アダプタ１４の動作による問題発生時に迅速に状況を知ることができる。  
従って、内視鏡装置１は、回転アダプタ１４の動作状態等を把握して、回転アダプタ１４を効率良く制御可能である。
【００４６】
尚、術者は、目的部位に到達した際、内視鏡本体２の誘導装置用スイッチをオフし、回転磁界の発生を停止して回転アダプタ１４を回転フリーの状態にして内視鏡検査等を行う。  
術者は、内視鏡画像を見ながら、鉗子等を用いて目的部位における内視鏡処置を行っている。
【００４７】
このとき、術者の操作等によって、内視鏡本体２はゆれたり、位置を変えたりすると、回転アダプタ１４が回転してしまい挿入部部先端部２４がその位置を変えてしまい、目的部位からずれてしまうことになる。このため、術者は、もう一度目的部位を探さなければならず、煩雑な作業によって内視鏡処置が困難になってしまう虞れが生じる。  
そこで予期せぬ回転アダプタ１４の回転を防止可能に構成する。
【００４８】
即ち、図１０に示すように内視鏡本体２Ｂは、前記回転アダプタ１４の回転体５３（永久磁石）に対して、通電により磁力を発生可能な電磁石８１を設けて構成されている。
【００４９】
前記電磁石８１は、延出する信号線８１ａが前記ユニバーサルコード２３を挿通して前記ＣＣＵ１２を経由し前記磁気誘導装置１５の制御装置１６に電気的に接続している。前記電磁石８１は、前記制御装置１６の制御により、通電されるようになっている。  
尚、前記内視鏡本体２Ｂは、前記誘導装置用スイッチとして割り当てた以外の前記リモートスイッチ２９ｂのうち、１つを回転アダプタ１４のロック用スイッチとして設定するようになっている。
【００５０】
内視鏡装置は、前記ロック用スイッチが押下操作されることにより、このロック用スイッチからのロック信号が出力されて前記制御装置１６に伝達し、この制御装置１６が前記電磁石８１への通電を制御して前記ＣＣＵ１２を経由して前記電磁石８１へ通電する。
【００５１】
通電された前記電磁石８１は、磁力を発生してこの磁力により前記回転アダプタ１４の回転体５３（永久磁石）に作用して電磁的にロックするようになっている。尚、上記電磁的ロックを解除する際には、前記ロック用スイッチを再度押下操作することで、行うようになっている。  
これにより、内視鏡装置は、回転磁界の発生を停止して内視鏡検査を行う際、予期せぬ回転アダプタ１４の回転を防止可能である。従って、本内視鏡装置は、内視鏡検査の際に処置性が向上する。
【００５２】
尚、内視鏡装置１は、前記挿入部先端部２４が目的部位に到達するまでに、上述したように例えば、上行結腸７８等を通過していくため、内視鏡像の上下が常に変化する。  
このため、内視鏡装置１は、モニタ１３（の表示画面１３ａ）に表示される内視鏡画像上の左右と、操作部２２における捻り操作や湾曲操作等の左右操作が一致せず、術者による内視鏡操作が困難である。
【００５３】
そこで、内視鏡像のアップ（Ｕｐ）方向とモニタ１３に表示される内視鏡画像の上側（内視鏡画像のアップ方向）が常に一致するように構成する。  
即ち、前記ＣＣＵ１２は、後述する重力方向検知手段による重力方向の検知情報に基づき、内視鏡像に対してモニタ１３に表示される内視鏡画像の上側（内視鏡画像のアップ方向）が常に一致するように、生成した内視鏡画像に対して上下一致補正処理を行うようになっている。
【００５４】
これにより、内視鏡装置１は、内視鏡像のアップ方向に対してモニタ１３に表示される内視鏡画像の上側（内視鏡画像のアップ方向）が常に一致する。  
このため、術者は、例えば、見たい方向へそのまま湾曲操作ノブ２７を操作すれば、術者が所望した通り、見たい方向へ湾曲部２５が湾曲する。  
従って、内視鏡装置１は、より自然な内視鏡操作が可能となり、挿入性が向上する。
【００５５】
尚、内視鏡装置１は、上記上下一致補正処理を行っている際、内視鏡像のアップ方向に対してモニタ１３に表示される内視鏡画像の上側が一致した状態である。
【００５６】
しかしながら、上記上下一致補正処理を行っている際、上述した目的部位付近での内視鏡検査等を行う場合、体腔内管路における挿入部先端部２４の方向に対してモニタ１３に表示される内視鏡画像が一致していない状態となっている場合もある。  
この場合、術者は、モニタ１３に表示される内視鏡画像を見ながら、体腔内管路に対して上下方向を確認しつつ、鉗子等を用いて目的部位における内視鏡処置を行う必要がある。このため、術者は、一々体腔内管路に対して上下方向を確認しつつ、鉗子等を用いるので煩雑であり操作が行い難くなっていまい、内視鏡処置が困難となる。
【００５７】
そこで、内視鏡装置１は、目的部位付近において手元操作により上記上下補正処理を解除するように構成する。つまり、内視鏡装置１は、前記誘導装置用スイッチ及び前記ロック用スイッチとして割り当てた以外の前記リモートスイッチ２９ｂのうち、１つを上下一致補正解除用スイッチとして設定するようになっている。
【００５８】
内視鏡装置１は、上下一致補正解除用スイッチが押下操作されることによって前記ＣＣＵ１２が上記上下一致補正処理を解除する。これにより、体腔内管路における挿入部先端部２４の方向と、モニタ１３に表示される内視鏡画像との方向が一致するよう元に戻る。従って、術者は、目的部位付近において、内視鏡処置の際、手元の上下一致補正解除用スイッチを押下操作するのみにより上記上下一致補正処理を解除でき、体腔内管路に即したモニタ１３に表示される内視鏡画像を見ながら内視鏡処置を行えることが可能となる。
【００５９】
尚、ＣＣＵ１２は、上記上下一致補正処理を行うことなく、検知した重力方向に基づいて内視鏡像のアップ（Ｕｐ）方向を指標により表すようにしてもよい。  
即ち、ＣＣＵ１２は、図１１に示すように検知した重力方向に基づいて内視鏡像のアップ（Ｕｐ）方向を示す指標▲を内視鏡画像に重畳するようにしている。  
これにより、術者は、モニタ１３に表示される内視鏡画像により、内視鏡像のアップ（Ｕｐ）方向を確認しながら左右操作を行うことができる。
【００６０】
尚、上記上下一致補正処理における重力方向の検知は、以下に記載する重力方向検知手段により行うようになっている。  
図１２に示すように内視鏡本体２は、重力方向検知手段として挿入部先端部２４の先端側に着脱自在に中空キャップ８２を取り付けられるようになっている。
【００６１】
この中空キャップ８２は、透明部材もしくは半透明部材により中空状に形成され、この外装部材内部に気泡８３ａを有する流体（液体）８３を封止して構成されている。  
前記中空キャップ８２は、前記気泡８３ａが反重力方向に位置するようになっている。尚、図１２において、気泡８３ａが下側にあるので、重力方向は鉛直上向きであることが判る。
【００６２】
ここで、例えば、内視鏡本体２を半回転すると、中空キャップ８２は、気泡８３ａが図１３に示す位置から図１４に示す位置に移動することで、重力方向が鉛直下向きに変わることが判る。  
このように中空キャップ８２を挿入部先端部２４に取り付けた内視鏡本体２は、上記第１実施例で説明したのとほぼ同様な回転アダプタ１４Ｂが取り付けられるようになっている。
【００６３】
即ち、図１５に示すように前記回転アダプタ１４Ｂは、前記中空キャップ８２が配置される切欠部８５が前記本体部５１の先端側内周面に形成されている。尚、それ以外の前記回転アダプタ１４Ｂの構成は、上記回転アダプタ１４と同様であるので説明を省略する。  
これにより、前記内視鏡本体２は、挿入部先端部２４に設けられた観察窓の観察視野範囲内に前記回転アダプタ１４Ｂの前記螺旋状部５４の内周面が入ると共に、前記中空キャップ８２が入るようになっている。尚、図１５に示す重力方向は、鉛直上向きとなっている。
【００６４】
前記ＣＣＵ１２は、前記観察窓から取り込まれる観察像を撮像して得た内視鏡画像から前記気泡８３ａの位置を検知して、重力方向を検知するようになっている。前記ＣＣＵ１２は、検知した重力方向に基づき上述した上下一致補正処理を行うようになっている。
【００６５】
尚、上記重力方向検知は、前記中空キャップとして気泡８３ａ（流体）を用いるのではなく、リング状回転体を用いてもよい。  
図１６に示すように中空キャップ８２Ｂは、この外装部材内部に回動自在なリング状回転体が組み付いて構成されている。この中空キャップ８２Ｂには指標部分８６が突起しており、偏心重量となっている。
【００６６】
前記中空キャップ８２Ｂは、前記指標部分８６が偏心重量となっているので、この指標部分８６が錘の働きをして常に重力方向に回転移動して下方向に位置し、図１７に示すように上下方向が正確に検知可能である。
【００６７】
ここで、例えば、前記中空キャップ８２Ｂを前記挿入部先端部２４に取り付けた内視鏡本体２を半回転した場合、中空キャップ８２Ｂは、前記指標部分８６が一旦、図１８に示す位置から図１９に示す位置に移動するが、すぐに重力方向に回転移動して下方向に位置し、重力方向を指し示すようになっている。
【００６８】
尚、この中空キャップ８２Ｂは、前記中空キャップ８２と同様に内視鏡本体２に回転アダプタ１４Ｂが取り付けられた際に、この回転アダプタ１４Ｂの切欠部８５に配置されるようになっている。また、前記ＣＣＵ１２は、画像処理により中空キャップ８２Ｂの指標部分８６の位置を検知して、重力方向を検知するようになっている。前記ＣＣＵ１２は、検知した重力方向に基づき上述した上下一致補正処理を行うようになっている。
【００６９】
尚、重力方向検知は、前記中空キャップ８２を用いるのではなく、内視鏡本体に設けた姿勢角度センサを用いてもよい。  
図２０に示すように、内視鏡本体２Ｃは、撮像ユニット８７の回路基板８７ａに重力方向を検知する姿勢角度センサ８８を設けている。尚、撮像ユニット８７は、観察窓２４ｂの後方に対物光学系８７ｂ及び固体撮像素子であるＣＣＤ８７ｃと回路基板８７ａとを有して構成されている。
【００７０】
前記姿勢角度センサ８８は、図示しないジャイロ、傾斜計、加速度計、地磁気センサなどを搭載し、重力方向に対する角度を検知するようになっている。  
ここで、一般に、ジャイロと言った場合は、レートジャイロ（角速度計）を示すことが多く、積分して角度とするようになっている。但し、レートジャイロ（角速度計）は、センサ出力にずれがあると、積分結果がどんどんずれていくため、以下の傾斜計及び加速度計により補正を行うようになっている。
【００７１】
前記傾斜計は、振り子の傾きをポテンショメータなどで測定し、鉛直方向を検知するセンサである。前記加速度計は、重力加速度を検知することで、鉛直方向を検知するセンサである。前記地磁気センサは、鉛直軸回りの旋回角度を検知するセンサである。  
前記姿勢角度センサ８８で検知された重力方向の情報は、前記ＣＣＵ１２へ出力されるようになっている。これにより、前記ＣＣＵ１２は、取得した重力方向に基づき上述した上下一致補正処理を行うようになっている。
【００７２】
尚、内視鏡装置は、重力方向のみでなく、左右方向を検知可能なように構成してもよい。  
図２１に示すように回転アダプタ１４Ｃは、前記本体部５１から露出して接触センサ８９を片側にのみ設けている。又は、この他に、接触センサ８９は、図２２に示すように内視鏡本体２の挿入部先端側の蛇菅側面に設けてもよい。  
これら接触センサ８９は、体腔内壁に接触することにより検知信号を出力するようになっている。
【００７３】
尚、図２１及び図２２に示す接触センサ８９は、無線通信により体外に設けた図示しない無線受信部へ検知信号を送信するようになっている。  
受信した検知信号は、前記ＣＣＵ１２へ出力されて、重力方向と左右方向とが同時に検知でき、体腔内管路に対する挿入部先端部２４の上下左右方向を検知するようになっている。
【００７４】
前記ＣＣＵ１２は、体腔内管路に対する挿入部先端部２４の上下左右方向を検知することで、図２３に示すようにモニタ１３に表示される内視鏡画像に上下左右方向（Ｕ／Ｄ、Ｒ／Ｌ）の指標▲を重畳できるようになっている。
【００７５】
また、前記ＣＣＵ１２は、上述した上下一致補正処理を行っている際には、図１１で説明したのと同様に図２４に示すアップ（Ｕｐ）方向のみ指標▲を重畳表示するようになっている。この理由は、内視鏡像に対してモニタ１３に表示される内視鏡画像の上側（内視鏡画像のアップ方向）が常に一致しているので、これらの上下左右関係が常にモニタ１３を見たままの状態に一致しており、指標▲はアップ（Ｕｐ）方向のみでも十分である。  
術者は、モニタ１３を見たまま、動かしたい方向へ湾曲操作ノブ２７を操作するだけでよい。
【００７６】
これにより、内視鏡装置１は、体腔内管路に対する挿入部先端部２４の上下左右方向を検知でき、内視鏡画像に上下左右方向を表示できる。  
術者は、モニタ１３に表示されるＵ／Ｄ、Ｒ／Ｌ指標を頼りに操作部２２における捻り操作や湾曲操作等の左右操作を容易に行うことが可能となる。
【００７７】
尚、接触センサ８９は、図２５に示すように無線受信部９０を内視鏡本体の内部に設けて構成してもよい。  
図２５に示すように内視鏡本体２Ｄは、接触センサ８９の無線受信部９０を内部に設けて構成されている。又は、この他に、接触センサ８９は、図２６に示すように内視鏡本体２の挿入部先端側の蛇菅側面に設けた場合においても、接触センサ８９の無線受信部９０を内部に設けて構成してもよい。
【００７８】
これら無線受信部９０は、延出する信号線９０ａが前記ユニバーサルコード２３を挿通して前記ＣＣＵ１２に電気的に接続している。これにより、前記ＣＣＵ１２は、前記接触センサ８９からの検知信号を受信可能となっている。
【００７９】
また、接触センサ８９は、図２７に示すように有線により前記ＣＣＵ１２に電気的に接続するようにしてもよい。  
図２７に示すように接触センサ８９は、延出する信号線８９ａが前記回転アダプタ１４Ｄを挿通して前記内視鏡本体２の外周面に沿って前記ＣＣＵ１２に接続されるようになっている。
【００８０】
更に、具体的に説明すると、前記接触センサ８９から延出する信号線８９ａは、前記本体部５１を挿通して前記内視鏡本体２側から外部へ到達し、この内視鏡本体２の外周面に沿って体外へ導かれる。尚、接触センサ８９は、図示しないが内視鏡本体２の挿入部先端側の蛇菅側面に設けた場合においても、延出する信号線８９ａを前記蛇菅内部に設けて構成してもよい。  
これにより、前記接触センサ８９は、有線により前記ＣＣＵ１２に電気的に接続して、検知信号を伝達することができる。
【実施例２】
【００８１】
図２８ないし図３５は本発明の第２実施例に係り、図２８は第２実施例の内視鏡を示す挿入部先端側の説明図、図２９は図２８のレーザセンサを本体部に設けた際の回転アダプタ付近を示す拡大図、図３０は図２９の挿入部先端部の正面図、図３１は図３０のレーザセンサから得られる反射レーザの時間に対するレーザ強度を示すグラフ、図３２は湾曲方向検知手段を設けた際の内視鏡本体の蛇菅内部を示す説明図、図３３は図３２の固定部を示す蛇菅の正面図、図３４は図３２の状態から上行結腸時に１８０度反転した際の内視鏡本体の蛇菅内部を示す説明図、図３５は指標検知部として光電センサを用いた際の要部斜視図である。
【００８２】
上記第１実施例は回転アダプタの少なくとも回転部分の一部が挿入部先端部２４に設けられた観察窓２４ｂの観察視野範囲内に入るよう回転アダプタを配置して回転アダプタの動作状態等を把握するよう構成しているが、第２実施例は更に挿入部先端部の前進／後進等の動作状態を把握するように構成する。それ以外の構成は上記第１実施例と同様なので説明を省略し、同じ構成には同じ符号を付して説明する。
【００８３】
即ち、図２８に示すように第２実施例の内視鏡装置は、前進／後進検知手段としてレーザセンサ９２を挿入部先端部２４に設けて内視鏡本体２Ｅを構成している。  
前記レーザセンサ９２は、公知のレーザ変位の原理を利用している。即ち、前記レーザセンサ９２は、人体に影響を及ぼさないレベルのレーザを発信し、体腔内壁からの反射レーザを受信して体腔内壁からの距離を検知するようになっている。
【００８４】
前記レーザセンサ９２は、延出する信号線９２ａが前記ユニバーサルコード２３を挿通して前記ＣＣＵ１２を経由し前記磁気誘導装置１５の制御装置１６に電気的に接続している。これにより、前記制御装置１６は、前記レーザセンサ９２からの検知信号を受信可能となっている。  
従って、前記制御装置１６は、検知した体腔内壁からの距離に基づき、挿入部先端部２４が前進しているのか又は後進しているのかを判断して前記回転アダプタ１４の回転を制御することが可能である。
【００８５】
尚、前記レーザセンサ９２は、回転アダプタの外周に設けて構成してもよい。  
図２９に示すように回転アダプタ１４Ｅは、前記本体部５１から露出して前記レーザセンサ９２を設けている。
【００８６】
前記レーザセンサ９２は、延出する信号線９２ａが前記回転アダプタ１４Ｅを挿通して前記内視鏡本体２の外周面に沿って前記ＣＣＵ１２を介して前記磁気誘導装置１５の制御装置１６に接続されるようになっている。  
更に、具体的に説明すると、前記レーザセンサ９２から延出する信号線９２ａは、前記本体部５１を挿通して前記内視鏡本体２側から外部へ到達し、この内視鏡本体２の外周面に沿って体外へ導かれる。
【００８７】
前記本体部５１に設けられた前記レーザセンサ９２は、図３０に示すように前記回転アダプタ１４Ｅからレーザを発信し、体腔内壁からの反射レーザを受信する。  
この反射レーザは、例えば、図３１に示すように表される。図３１は、時間に対するレーザ強度を示している。
【００８８】
これにより、前記制御装置１６は、反射レーザ反射の検出波形が移動する方向により前記挿入部先端部２４が前進しているか又は後進しているかの判断を行うようになっている。  
尚、レーザセンサ９２は、図示しないが内視鏡本体２の挿入部先端側の蛇菅側面に設けた場合においても、延出する信号線９２ａを前記蛇菅内部に設けて構成してもよい。
【００８９】
ところで、内視鏡本体２は、回転アダプタ１４を装着した際、挿入部先端部の方向が挿入部位によって一義的に決まるようになっている。しかしながら、内視鏡本体２は、回転アダプタ１４の装着時に反転視が困難であるため、下行結腸や上行結腸など挿入部先端部２４が位置している部位によってその向きが決まってしまう。  
そこで、挿入部先端部２４の湾曲向きを検知し、この検知した挿入部先端部２４の湾曲向きに応じて前記回転アダプタ１４を制御するように湾曲方向検知手段を設けて構成する。
【００９０】
図３２に示すように、内視鏡本体は、前記可撓菅部２６を構成している蛇菅９３内に前記湾曲部２５を湾曲操作するための湾曲操作ワイヤとは別に湾曲方向検知手段として検知ワイヤ９４を挿入して構成されている。この検知ワイヤ９４は、図３３に示すように前記湾曲部２５の手前で蛇菅９３に固定部９３ａにより固定されている。この検知ワイヤ９４は、後端側にワイヤ指標９５を設けている。
【００９１】
更に、前記蛇菅９３内部には、前記検知ワイヤ９４のワイヤ指標９５を検知するための指標検知部９６を設けている。この指標検知部９６は、前記検知ワイヤ９４の上下方向（又は左右方向）の両方に配置されている。
【００９２】
前記指標検知部９６は、延出する信号線９６ａが前記ユニバーサルコード２３を挿通して前記ＣＣＵ１２を経由し前記磁気誘導装置１５の制御装置１６に電気的に接続している。これにより、前記制御装置１６は、前記指標検知部９６からの検知信号を受信可能となっている。
【００９３】
例えば、挿入部先端部２４は、下行結腸時には、ほぼ真っ直ぐに向いているが、上行結腸時には蛇菅９３が手元側に達して１８０度反転している。  
このため、図３４に示すように上行結腸時（１８０度反転）には内側になった検知ワイヤ９４は圧縮（縮み）、外側になった検知ワイヤ９４は引っ張り状態になるため検知ワイヤ９４が進退し、ワイヤ指標９５も進退する。
【００９４】
これにより、前記指標検知部９６は、前記ワイヤ指標９５を検知して検知信号を前記制御装置１６に出力する。  
従って、前記制御装置１６は、前記指標検知部９６からの検知信号に基づき、前記湾曲部２５が上下方向（又は左右方向）に湾曲した際に、挿入部先端部２４がどちらの方向を向いているのかを判断して前記回転アダプタ１４の回転を制御することが可能である。
【００９５】
尚、図３４に示した指標検知部９６は、コイルセンサである。この場合、ワイヤ指標９５は、磁石により形成されている磁石指標である。このコイルセンサ９６は、前記磁石指標９５がコイル内を通過することで、発生する電流により検出するようになっている。
【００９６】
尚、指標検知部９６は、図３５に示すように光電センサ９７を用いて形成してもよい。この光電センサ９７は、ワイヤ指標９５が通過するとオン信号を出力するので電子的に処理可能である。
【００９７】
尚、上述した各実施例等を部分的に組み合わせる等して構成される実施例等も本発明に属する。
【００９８】
［付記］
（付記項１）
体腔内に挿入可能な挿入部と、
前記挿入部の先端側に設け、外周に形成した螺旋状部が体腔内管路の内壁に当接して回転することにより推進力を発生する回転アダプタと、
を具備し、前記回転アダプタの少なくとも回転部分の一部が前記挿入部の先端部に設けられた観察窓の観察視野範囲内に入るよう前記回転アダプタを配置したことを特徴とする内視鏡。
【００９９】
（付記項２）
前記挿入部先端側の重力方向を検知する重力方向検知手段を設けたことを特徴とする付記項１に記載の内視鏡。
【０１００】
（付記項３）
前記回転アダプタの回転動作をロックするロック手段を設けたことを特徴とする付記項１に記載の内視鏡。
【０１０１】
（付記項４）
前記挿入部先端側に湾曲自在な湾曲部を有し、この湾曲部の湾曲方向を検知する湾曲方向検知手段を設けたことを特徴とする付記項１に記載の内視鏡。
【０１０２】
（付記項５）
前記挿入部先端部の前進又は後進を検知する前進／後進検知手段を設けたことを特徴とする付記項１に記載の内視鏡。
【０１０３】
（付記項６）
前記重力方向検出手段を前記挿入部又は前記回転アダプタに設けたことを特徴とする付記項２に記載の内視鏡。
【０１０４】
（付記項７）
前記重力方向検知手段は、流体及び気泡を封止し、前記挿入部先端側に着脱自在に装着した中空キャップであることを特徴とする付記項６に記載の内視鏡。
【０１０５】
（付記項８）
前記重力方向検知手段は、回動自在なリング状回転体を設け、前記挿入部先端側に着脱自在に装着した中空キャップであることを特徴とする付記項６に記載の内視鏡。
【０１０６】
（付記項９）
前記重力方向検知手段は、重力方向に対する角度を検知する姿勢角度センサであり、この姿勢角度センサを前記挿入部先端側に設けたことを特徴とする付記項６に記載の内視鏡。
【産業上の利用可能性】
【０１０７】
本発明の内視鏡は、回転アダプタの動作状態等を把握して、回転アダプタを効率良く制御可能としたことにより、医療分野に適している。
【図面の簡単な説明】
【０１０８】
【図１】第１実施例の内視鏡である内視鏡装置を示す全体構成図である。
【図２】図１の内視鏡本体の挿入部先端側を示す拡大斜視図である。
【図３】図１の磁気誘導装置により発生する回転磁界を説明する模式図である。
【図４】図１の回転アダプタ付近を示す拡大図である。
【図５】図４の回転アダプタの内部構成を示す説明図である。
【図６】内視鏡本体の挿入部先端部を肛門から挿入し回転アダプタを回転させた状態で且つ、挿入部の先端部がＳ状結腸部の腸壁に接触した際の断面図である。
【図７】挿入部先端部が回転アダプタにより得られた推進力によりＳ状結腸部を進んでいく際の説明図である。
【図８】図７に示す状態から更に挿入部先端部がＳ状結腸部を介して進んでいる際の説明図である。
【図９】図８に示す状態から更に挿入部先端部が下行結腸部へと進んでいる際の説明図である。
【図１０】回転アダプタをロックするための電磁石を設けた変形例を示す説明図である。
【図１１】内視鏡像のアップ（Ｕｐ）方向を示す指標を重畳した際の内視鏡画像表示例である。
【図１２】中空キャップを内視鏡本体の挿入部先端部に取り付ける際の中空キャップ及び挿入部先端側の斜視図である。
【図１３】図１２の中空キャップを取り付けた内視鏡本体の挿入部先端部の正面図である。
【図１４】図１３の状態から反転させた際の内視鏡本体の挿入部先端部の正面図である。
【図１５】図１２の中空キャップを内視鏡本体の挿入部先端部に取り付けた際の回転アダプタの内部構成を示す説明図である。
【図１６】回動自在なリング状回転体を設けた中空キャップを内視鏡本体の挿入部先端部に取り付ける際の中空キャップ及び挿入部先端側の斜視図である。
【図１７】図１６の中空キャップの正面図である。
【図１８】図１６の中空キャップを取り付けた内視鏡本体の挿入部先端部の正面図である。
【図１９】図１８の状態から反転させた際の内視鏡本体の挿入部先端部の正面図である。
【図２０】姿勢角度センサを撮像ユニット内に設けた内視鏡本体の要部断面図である。
【図２１】接触センサを本体部に設けた際の回転アダプタ付近を示す拡大図である。
【図２２】接触センサを内視鏡挿入部先端側に設けた際の回転アダプタ付近を示す拡大図である。
【図２３】下左右方向（Ｕ／Ｄ、Ｒ／Ｌ）の指標を重畳した際の内視鏡画像表示例である。
【図２４】アップ（Ｕｐ）方向の指標のみを重畳した際の内視鏡画像表示例である。
【図２５】本体部に設けた接触センサに対して無線受信部を内視鏡本体内部に設けた際の回転アダプタの内部構成を示す説明図である。
【図２６】内視鏡挿入部先端側に設けた接触センサに対して無線受信部を内視鏡本体内部に設けた際の回転アダプタの内部構成を示す説明図である。
【図２７】図２５に対して接触センサを有線にした際の回転アダプタの内部構成を示す説明図である。
【図２８】第２実施例の内視鏡を示す挿入部先端側の説明図である。
【図２９】図２８のレーザセンサを本体部に設けた際の回転アダプタ付近を示す拡大図である。
【図３０】図２９の挿入部先端部の正面図である。
【図３１】図３０のレーザセンサから得られる反射レーザの時間に対するレーザ強度を示すグラフである。
【図３２】湾曲方向検知手段を設けた際の内視鏡本体の蛇菅内部を示す説明図である。
【図３３】図３２の固定部を示す蛇菅の正面図である。
【図３４】図３２の状態から上行結腸時に１８０度反転した際の内視鏡本体の蛇菅内部を示す説明図である。
【図３５】指標検知部として光電センサを用いた際の要部斜視図である。
【図３６】従来の内視鏡装置の構成を示す構成図である。
【図３７】図３６の磁気誘導装置により発生する回転磁界を説明する模式図である。
【符号の説明】
【０１０９】
１  内視鏡装置
２  内視鏡本体
３  内視鏡挿入補助装置
１２  ＣＣＵ
１４  回転アダプタ
１５  磁気誘導装置
１６  制御装置
１７  電源装置
２１  挿入部
２４  先端部
２４ｂ  観察窓
２５  湾曲部
５１  本体部
５２  ベアリング部
５３  回転体
５４  螺旋状部
５１  ベッド部
５２  磁界発生部
代理人    弁理士    伊藤  進
【図１】
2006042900.tif 000003
【図２】
2006042900.tif 000004
【図３】
2006042900.tif 000005
【図４】
2006042900.tif 000006
【図５】
2006042900.tif 000007
【図６】
2006042900.tif 000008
【図７】
2006042900.tif 000009
【図８】
2006042900.tif 000010
【図９】
2006042900.tif 000011
【図１０】
2006042900.tif 000012
【図１１】
2006042900.tif 000013
【図１２】
2006042900.tif 000014
【図１３】
2006042900.tif 000015
【図１４】
2006042900.tif 000016
【図１５】
2006042900.tif 000017
【図１６】
2006042900.tif 000018
【図１７】
2006042900.tif 000019
【図１８】
2006042900.tif 000020
【図１９】
2006042900.tif 000021
【図２０】
2006042900.tif 000022
【図２１】
2006042900.tif 000023
【図２２】
2006042900.tif 000024
【図２３】
2006042900.tif 000025
【図２４】
2006042900.tif 000026
【図２５】
2006042900.tif 000027
【図２６】
2006042900.tif 000028
【図２７】
2006042900.tif 000029
【図２８】
2006042900.tif 000030
【図２９】
2006042900.tif 000031
【図３０】
2006042900.tif 000032
【図３１】
2006042900.tif 000033
【図３２】
2006042900.tif 000034
【図３３】
2006042900.tif 000035
【図３４】
2006042900.tif 000036
【図３５】
2006042900.tif 000037
【図３６】
2006042900.tif 000038
【図３７】
2006042900.tif 000039